(57)【要約】      （修正有）【課題】電気機器に電源を供給するためのコードの巻取時、ユーザがコードの巻取が完了するまで操作レバーを加圧しているべき不便を解消させられる電気機器用コードリール組立体を提供する。【解決手段】コードの巻取のためのコードリール本体４１と、そのコードリール本体と選択的に接触されるブレーキ部材６０と、ブレーキ部材がコードリール本体４１に接触される第１位置及びブレーキ部材がコードリール本体から離隔された第２位置の間でユーザの操作により移動される連結部５１を備える操作レバー５０と、連結部が第１位置に移動されるよう操作レバーを弾性加圧する弾性体７０と、弾性体により第１位置に復帰する連結部の復帰速度を減速させるよう連結部の移動を干渉するダンパーユニット８０を含む。【選択図】図２
2005296611.tif 000002
【特許請求の範囲】
【請求項１】
電気機器に回転自在に設けられるコードリール本体と、
前記コードリール本体と選択的な接触が可能なので前記コードリール本体の回転を選択的に拘束するブレーキ部材と、
前記ブレーキ部材と連結される連結部を備え、前記連結部はユーザの操作により前記ブレーキ部材が前記コードリール本体に接触される第１位置及び前記ブレーキ部材が前記コードリール本体から離隔された第２位置の間で移動される操作レバーと、
前記連結部が前記第２位置に存する際、前記連結部が前記第１位置に移動されるよう復元させる復帰ユニットと、
前記復帰ユニットにより前記２位置から前記第１位置に復帰する前記連結部の復帰速度が減速されるよう前記連結部の移動を干渉するダンパーユニットとを含むことを特徴とする電気機器のコードリール組立体。
【請求項２】
前記操作レバーは、前記電気機器の外部に露出される操作部を備え、ユーザによる前記操作部の操作時回動自在に前記電気機器に設けられ、
前記ダンパーユニットは、前記操作レバーの回動中心上に設けられるダンパーを含むことを特徴とする請求項１に記載の電気機器のコードリール組立体。
【請求項３】
前記ダンパーは、
前記操作レバーの軸孔に挿入される外部ケーシングと、
前記外部ケーシングの内側に前記外部ケーシングについて相対回転自在に設けられ、前記操作レバーの回動中心である回動軸と結合される内部ケーシングと、
前記外部ケーシングと前記内部ケーシングとの空間に充填され前記内部ケーシングと前記外部ケーシングの相対回転を干渉する干渉流体とを含むことを特徴とする請求項２に記載の電気機器のコードリール組立体。
【請求項４】
前記操作レバー及び前記ダンパーのそれぞれは前記操作レバーと前記ダンパーの結合時相互挿着される少なくとも一つの固定突起と固定溝をさらに含むことを特徴とする請求項３に記載の電気機のコードリール組立体。
【請求項５】
前記復帰ユニットは、前記操作部が前記電気機器の外部に露出される方向に前記操作レバーを弾性加圧する弾性体を含むことを特徴とする請求項２に記載の電気機器のコードリール組立体。
【請求項６】
前記電気機器は、集塵室を備え、前記集塵室に被掃除面の外気が流入されるよう前記集塵室に負圧を形成させる真空源を内蔵する真空掃除機本体であることを特徴とする請求項１に記載の電気機器のコードリール組立体。
【発明の詳細な説明】
【技術分野】
【０００１】
本発明は電気機器に係り、さらに詳しくは電気機器に電源を供給するためのコードを電気機器から弾力的な引き出しが可能なように巻き取らせるコードリール組立体に関する。
【背景技術】
【０００２】
通常のコードリール組立体は、コードリール本体と、操作レバーとブレーキ部材とを含む。
【０００３】
前記コードリール本体は電気機器に電源を供給するために外部商用電源と連結されるコードが巻取られるもので、電気機器の内部に回転自在に設けられる。前記操作レバーはブレーキ部材がコードリール本体に選択的に接触されるようにしてコードリール本体の回転を拘束させるためのもので、その一側にはコードリール本体と接触されるブレーキ部材が設けられる。
【０００４】
以上のように構成される従来のコードリール組立体は、ユーザが操作レバーに働いていた外力を除去すれば、操作レバーが所定の復帰ユニットにより元の位置に復元されるようになっている。このように操作レバーが復元されれば、前記ブレーキ部材がコードリール本体に接触されることによってコードリール本体の回転が抑えられる。
【０００５】
しかし、前述したように構成される従来のコードリール組立体は、復帰ユニットにより操作レバーが常に復元される方向に弾性加圧されているので、一応コードの巻取が始まるとコードの巻取が完了するまでユーザが操作レバーを押しているべき不便があった。
【発明の開示】
【発明が解決しようとする課題】
【０００６】
本発明は前述した従来の問題点を解決するために案出されたもので、その目的はコードの巻取のためのユーザの操作が簡単になされうるよう構造が改善された電気機器のコードリール組立体を提供するところにある。
【課題を解決するための手段】
【０００７】
前述した目的を達成するための本発明に係る電気機器のコードリール組立体は、電気機器に回転自在に設けられるコードリール本体と、前記コードリール本体と選択的な接触が可能なので前記コードリール本体の回転を選択的に構成するブレーキ部材と、前記ブレーキ部材と連結される連結部を備え、前記連結部はユーザの操作により前記ブレーキ部材が前記コードリール本体に接触される第１位置及び前記ブレーキ部材が前記コードリール本体から離隔された第２位置の間で移動される操作レバーと、前記連結部が前記第２位置に存する際、前記連結部が前記第１位置に移動されるよう復元させる復帰ユニット、及び前記復帰ユニットにより前記２位置から前記第１位置に復帰する前記連結部の復帰速度が減速されるよう前記連結部の移動を干渉するダンパーユニットを含むことを特徴とする。
【０００８】
これによれば、ユーザがコードの巻取が完了されるまで操作レバーを加圧しているべき不便を解消させられる。
【０００９】
本発明の望ましい実施例によれば、前記操作レバーは、前記電気機器の外部に露出される操作部を具備し、前記電気機器にユーザによる前記操作部の操作時回動自在に設けられ、前記ダンパーユニットは、前記操作レバーの回動中心上に設けられるダンパーを含む。
【００１０】
これによれば、ダンパーユニットの設置によるコードリール組立体の設置空間の拡大を防止することができる。
【００１１】
そして、前記ダンパーは、前記操作レバーの軸孔に挿入される外部ケーシングと、前記外部ケーシングの内側に前記外部ケーシングについて相対回転自在に設けられ、前記操作レバーの回動中心である回動軸と結合される内部ケーシング及び前記外部ケーシングと前記内部ケーシングとの空間に充填され前記内部ケーシングと前記外部ケーシングの相対回転を干渉する干渉流体とを含むことが望ましい。
【００１２】
また、前記操作レバー及び前記ダンパーのそれぞれは前記操作レバーと前記ダンパーの結合時相互挿着される少なくとも一つの固定突起と固定溝をさらに含むことが望ましい。  一方、前記復帰ユニットは前記操作部が前記電気機器の外部に露出される方向に前記操作レバーを弾性加圧する弾性体を含むことが望ましい。
【００１３】
このようなコードリール組立体を具備する電気機器は、集塵室を備え、前記集塵室に被掃除面の外気が流入されるよう前記集塵室に負圧を形成させる真空源を内蔵する真空掃除機本体であることがさらに望ましい。
【発明の効果】
【００１４】
以上述べたような本発明によれば、操作レバーの復元がダンパーユニットにより自動的に遅延されることによって、コードが完全に巻取れるまでユーザが操作部を持続的に押しているべき不便を解消することができる。
【００１５】
また、操作レバーの回動軸上にダンパーが設けられ、そのダンパーの内部に充填された流体の粘性により操作レバーの回動が干渉されるため、コードリール組立体がダンパーの設置により必要以上複雑になることを防止できる付加的な効果も奏でる。
【発明を実施するための最良の形態】
【００１６】
以下、本発明の望ましい実施例を添付した図面に基づき詳述する。
【実施例】
【００１７】
図１は本発明の実施例によるコードリール組立体が電気機器のうち真空掃除機に装着されたことを示した図である。
【００１８】
同図によれば、コードリール組立体４０は電気機器１０の内部に設けられ、電気機器１０に電源を印加するためのコード２０はコードリール組立体４０のコードリール本体４１に選択的に巻取られる。参考に、未説明符号９０はコードリール本体４１及び後述する操作レバーのような構成要素を電気機器１０の内部で支持するためのリールカバーを示し、未説明符号９１はコードリール本体４１の回転軸を示し、未説明符号２１はコードと外部商用電源との連結のためのコネクタを示す。
【００１９】
図２を参照するに、本発明の実施例によるコードリール組立体４０は、コードリール本体４１と、操作レバー５０と、弾性体７０と、ブレーキ部材６０とダンパーユニット８０とを含む。
【００２０】
コードリール本体４１は回転軸９１とリールカバー９０により電気機器１０(図１参照)の内部に回転自在に支持され、その回転時巻取部４７にコード２０が巻取られる。そして、コードリール本体４１はコード２０が巻取られる方向Ｄ(図４参照)に回転されるようスパイラルスプリング４５により弾性加圧される。本実施例におけるスパイラルスプリング４５は中央部が回転軸９１の挿入溝９３に挿入されることによって回転軸９１についてコードリール本体４１が相対回転されることを弾力的に拘束する。
【００２１】
ブレーキ部材６０はコードリール本体４１の回転を拘束するようコードリール本体４１に接触され、ユーザが操作レバー５０を操作すれば、コードリール本体４１から離隔される。このようなブレーキ部材６０は摩擦パッドなどのように多様な形態で形成されうるが、本実施例におけるコードリール組立体４０には摩擦ローラ状のブレーキ部材６０が採用される。
【００２２】
操作レバー５０はブレーキ部材６０と連結される連結部５１と、ユーザにより選択的に加圧操作される操作部５３を備え、連結部５１はユーザにより操作部５３が操作される時ブレーキ部材６０がコードリール本体４１から離隔される方向に移動される。本実施例における操作レバーは所定の回動軸９５を基準に回動可能な形態にコードリール組立体４０に設けられる。そして、前記復帰ユニットにより操作部５３が電気機器１０の外部に露出される方向に弾性加圧される。本実施例では操作部５３の下端を上方に弾性加圧する弾性体７０が前記復帰ユニットとして使用される。
【００２３】
一方、ダンパーユニット８０は、操作部５３に働いていた外力が除去された時、ブレーキ部材６０がコードリール本体４１に接触される方向に弾性体７０により復帰されることを干渉するためのものである。このようなダンパーユニット８０の干渉によれば、弾性体７０による操作レバー５０の復帰速度が遅くなって、操作レバー５０の復帰がゆっくりなされるようになる。これによれば、ユーザがコード２０の巻取のために操作部５３を加圧した後、早速操作部５３に働く外力を除去してもコード２０が完全に巻き取られる時間が保障されるよう操作レバー５０がゆっくり復帰される。例えば、一般に真空掃除機に使われるコード２０の長さが６ｍ〜７ｍの場合、ダンパーユニット８０のコード２０が完全に巻き取られるのに必要な時間である３〜４秒ほど操作レバー５０の復元が遅延されうるとすれば、前述したような目的が十分達成される。
【００２４】
このようなダンパーユニット８０は多様な形態で構成が可能である。例えば、操作レバー５０の側面に摩擦部材を設けて操作レバー５０の回動が妨害されるようにするなど操作レバー５０の復元を干渉できれば多様な形態でその構成が可能である。このようなダンパーユニット８０は操作レバー５０の構造によって違う形態に構成されうる。示されていないが、操作レバー５０が押しボタン形状に形成される場合、ダンパーユニット８０もこれに対応する形態にしても本発明の権利範囲に属することは勿論である。
【００２５】
本実施例におけるダンパーユニット８０は操作レバー５０の回動中心上に設けられるダンパー８１を含む。これによれば、ダンパー８１の設置空間が操作レバー５０の設置空間と重畳されるため、操作レバー５０の外部にダンパー８１の設置のための別の空間を必要とせず、全体的なコードリール組立体４０の設置空間の拡大を防止することができる。
【００２６】
図３を参照するに、ダンパー８１は、外部ケーシング８２と、内部ケーシング８３、及び干渉流体８４を含む。外部ケーシング８２は回動軸９５が挿入される操作レバー５０の第１軸孔５５に挿入され、ダンパー８１の外周面を形成させる。内部ケーシング８３は外部ケーシング８２の内部に設けられ、中央部に形成された第２軸孔８５に回動軸９５が挿入される。そして、内部ケーシング８３は外部ケーシング８２について図３の矢印Ａと同じ方向に相対回転が可能なように外部ケーシング８２の内部に設置される。干渉流体８４は外部ケーシング８２と内部ケーシング８３との間に形成されるダンパー８１の内部空間に充填される。このような干渉流体８４は一定大きさの粘性を有しており、このような粘性による摩擦力のため内部ケーシング８３と外部ケーシング８２の相対回転が干渉される。参考に、未説明符号８７は内部ケーシング８３の相対回転時圧縮される干渉流体８４のバイパスのため、内部ケーシング８３と一体に形成された翼８６に貫通形成された貫通孔を示す。ここで、翼８６及び貫通孔８７はダンパー８１に使われる干渉流体８４の粘性及び必要な摩擦力の大きさによって省略されうることは勿論である。
【００２７】
一方、本実施例によるコードリール組立体４０は操作レバー５０の回転時ダンパー８１と操作レバー５０が互いについて滑ることによって操作レバー５０及びダンパー８１相互間に力の伝達が不正確になることを防ぐ固定手段をさらに含む。前記固定手段はダンパー８１の外周面上に突出形成された少なくとも一つの固定突起８９と、操作レバー５０の第１軸孔８８の内周面に形成された少なくとも一つの固定溝５９(図２参照)を含む。これによれば、ダンパー８１と操作レバー５０の結合時固定突起８９と固定溝５９が相互結合されることによって、ダンパー８１と操作レバー５０との間に滑りが発生してダンパー８１の機能が不完全になされることを防止できる。示されていないが、このような固定溝と固定突起は第２軸孔８５と回動軸９５との間にも形成できることは勿論である。
【００２８】
以下、前述したように構成される本実施例によるコードリール組立体の作動を図４及び図５を参照して詳述する。
【００２９】
まず、電気機器１０(図１参照)の使用によりコード２０が引き出された状態ではコードリール本体４１の内部に設けられたスパイラルスプリング４５が圧縮された状態が維持される。この際、スパイラルスプリング４５の弾性力によりコードリール本体４１が図４のＤ方向に沿って回転しようとするが、ブレーキ部材６０とコードリール本体４１の接触によりコードリール本体４１の回転が抑えられる。
【００３０】
図４に示されているように、コード２０の巻取のためにユーザが操作レバー５０の操作部５３を矢印Ｂ方向に加圧して操作レバー５０を回動させると、ブレーキ部材６０がコードリール本体４１から離隔される。これにより、ブレーキ部材６０によるコードリール本体４１の拘束が解除され、コードリール本体４１はスパイラルスプリング４５の弾性力により矢印Ｄ方向に回転される。このようなコードリール本体４１の回転によりコード２０はＣ方向に沿って移動しつつコードリール本体４１に巻き取り始める。
【００３１】
この状態で、ユーザの手を操作部５３から引き離すと、操作レバー５０は弾性体７０の弾性力により図５に銀線で示された状態から矢印Ｅ方向に沿って図５の実線で示された状態に回動される。この際、ダンパー８１は内部に充填された干渉流体８４(図３参照)の粘性により矢印Ｆ方向に沿って摩擦力を発生させることによって操作レバー５０の回動を妨害する。この際、ダンパー８１により発生される摩擦力が操作レバー５０を復帰させる弾性体７０の弾性力に比べて十分に小さくて操作レバー５０の回動を遅延させるべきである、操作レバー５０の復元が完了される時点では消滅されることが望ましい。前述したように、操作レバー５０の復元が完了されれば、ブレーキ部材６０がコードリール本体４１と接触されることによって、コードリール本体４１の回動が抑えられてコードリール組立体４０の動作が完了される。
【００３２】
以上本発明を本発明の原理を例示するための望ましい実施例について示しかつ説明したが、本発明はそのように示しかつ説明されたままの構成及び作用に限定されることではない。かえって、特許請求の範囲の思想及び範疇を逸脱せず、本発明に対する多様な変更及び修正が可能であることを当業者らはよく理解できよう。従って、そのような全ての適切な変更と修正及び均等物も本発明の範囲に属すると見なされるべきである。
【産業上の利用可能性】
【００３３】
本発明のコードリール組立体は、外部商用電源から駆動に必要な電源をコードを介して供給される真空掃除機などのような電気機器に採用でき、この場合前記コードの引出作業によるユーザの不便を最小化することができる。
【図面の簡単な説明】
【００３４】
【図１】本発明の実施例によるコードリール組立体が採用した電気機器の一例であって、真空掃除機を示した図である。
【図２】本発明の実施例によるコードリール組立体を示した分離斜視図である。
【図３】図２のIII-III断面線に沿ってダンパーの内部を示した断面図である。
【図４】図２のコードリール組立体の使用例を示した側面図である。
【図５】図２のコードリール組立体の使用例を示した側面図である。
【符号の説明】
【００３５】
１０  電気機器
２０  コード
４０  コードリール組立体
４１  コードリール本体
４５  スパイラルスプリング
５０  操作レバー
５１  連結部
５３  操作部
５５  軸孔
６０  ブレーキ部材
７０  弾性体
８０  ダンパーユニット
８１  ダンパー
８２  外部ケーシング
８３  内部ケーシング
８４  作動流体
９１  回転軸
９５  回動軸
【図１】
2005296611.tif 000003
【図２】
2005296611.tif 000004
【図３】
2005296611.tif 000005
【図４】
2005296611.tif 000006
【図５】
2005296611.tif 000007